(57)【特許請求の範囲】
【請求項１】
データとして表された記事を取得する記事取得手段と、
取得された一又は二以上の記事に基づいて、テーマと、テーマに包含される記事の抽出条件と、を設定するテーマ設定手段と、
設定されている前記テーマの選択をユーザから受け付ける選択手段と、
前記記事取得手段により取得された前記記事から、設定されている前記テーマに包含される記事を、そのテーマに応じた前記抽出条件を用いて抽出する記事抽出手段と、
前記記事抽出手段により抽出された前記記事に対応するコメントの投稿を前記ユーザから受け付ける投稿受付手段と、
投稿された前記コメントを、その記事を包含する前記テーマを選択している前記ユーザへ送信する送信手段と、
前記記事ごとに投稿された前記コメントの量に応じて、前記テーマに対応する記事の前記抽出条件を更新する条件更新手段と、
を備えたことを特徴とする情報処理装置。
【請求項２】
前記テーマ設定手段は前記抽出条件として一又は二以上のキーワードを設定し、
前記条件更新手段は、前記テーマに包含される記事に対して投稿された前記コメントの量が予め定められた基準値以下だった前記記事のうち、予め定められた第２の基準値以上の量の記事に含まれている前記キーワードについて、前記抽出条件に含まれている場合にその抽出条件から除外することを特徴とする請求項１記載の情報処理装置。
【請求項３】
前記テーマ設定手段は前記抽出条件として一又は二以上のキーワードを設定し、
前記条件更新手段は、前記テーマに包含される記事に対して投稿された前記コメントの量が予め定められた基準値以上だった前記記事のうち、予め定められた第２の基準値以上の量の記事に含まれている前記キーワードについて、前記抽出条件に含まれていない場合にその抽出条件に加えることを特徴とする請求項１又は２記載の情報処理装置。
【請求項４】
前記テーマに包含される記事のウェブページに、コメントの表示領域及び投稿欄を備えたコメント交換領域を表示する領域表示手段を備え、
前記投稿受付手段は、そのテーマを選択している前記ユーザから前記ウェブページの前記記事に対する前記コメントを前記投稿欄で受け付け、
前記送信手段は、前記テーマを選択している前記ユーザからテーマに包含される記事に対して投稿された前記コメントを、対応する前記記事にアクセスするためのリンク情報と共に前記表示領域に表示させることを特徴とする請求項１から３のいずれか一項に記載の情報処理装置。
【請求項５】
データとして表された記事を取得する記事取得処理と、
取得された一又は二以上の記事に基づいて、テーマと、テーマに包含される記事の抽出条件と、を設定するテーマ設定処理と、
設定されている前記テーマの選択をユーザから受け付ける選択処理と、
前記記事取得処理により取得された前記記事から、設定されている前記テーマに包含される記事を、そのテーマに応じた前記抽出条件を用いて抽出する記事抽出処理と、
前記記事抽出処理により抽出された前記記事に対応するコメントの投稿を前記ユーザから受け付ける投稿受付処理と、
投稿された前記コメントを、その記事を包含する前記テーマを選択している前記ユーザへ送信する送信処理と、
前記記事ごとに投稿された前記コメントの量に応じて、前記テーマに対応する記事の前記抽出条件を更新する条件更新処理と、
をコンピュータが実行することを特徴とする情報処理方法。
【請求項６】
情報処理装置のコンピュータを制御することにより、
データとして表された記事を取得させ、
取得された一又は二以上の記事に基づいて、テーマと、テーマに包含される記事の抽出条件と、を設定させ、
設定されている前記テーマの選択をユーザから受け付けさせ、
取得された前記記事から、設定されている前記テーマに包含される記事を、そのテーマに応じた前記抽出条件を用いて抽出させ、
抽出された前記記事に対応するコメントの投稿を前記ユーザから受け付けさせ、
投稿された前記コメントを、対応する前記記事と共に、その記事を包含する前記テーマを選択している前記ユーザへ送信させ、
前記記事ごとに投稿された前記コメントの量に応じて、前記テーマに対応する記事の前記抽出条件を更新させる
ことを特徴とするコンピュータプログラム。
【発明の詳細な説明】
【技術分野】
【０００１】
本発明は、通信ネットワークを介した記事の閲覧に関する。
【背景技術】
【０００２】
近年、インターネット上において、ニュースなどの記事を単に読むだけでなく、ユーザが自ら情報を発信したり他のユーザと交換する活動が盛んになっている。例えば、特許文献１に示すニュース記事へのコメント機能では、具体的な個別のニュース記事に対するコメントをユーザが記入、閲覧できる。
【０００３】
また、ユーザの指定したキーワードをもとに、具体的な個別の記事と、記事に対するブログなどでの論評と、を検索し対応付けて表示する機械検索の提案も存在する（例えば、特許文献１参照）。
【０００４】
さらに、ソーシャルネットワーキングサービス（ＳＮＳ）では（例えば、特許文献２参照）、リアルな世界で知っている相手と友達登録をして交流するにあたり、興味関心が一致する事項があれば情報のやり取りが可能である。ミニブログにおいてもフォローする相手を選べば、いわゆるタイムラインなどとして表示されるフォロー相手の発言に、自分の興味関心に合ったものも含まれることが期待できる。
【先行技術文献】
【特許文献】
【０００５】
【特許文献１】特開２００６−３０９５１５号
【特許文献２】特表２０１１−５０７０７９号
【非特許文献】
【０００６】
【非特許文献１】ヤフー株式会社、「Yahoo!ニュース」、［online］、［2011年6月14日検索］、インターネット〈URL:  http://help.yahoo.co.jp/help/jp/news/news-58.html>
【発明の概要】
【発明が解決しようとする課題】
【０００７】
しかし、ニュースのコメント機能は、個別の記事を対象としたもので、仮にテーマが共通でも記事が異なれば別にコメントを読み書きする必要があった。また、機械検索の場合、語の検索のみで意図通りの結果を得ることはそもそも分野を問わず困難で、機械的に抽出した論評が必ずしも同じ興味関心に沿ったものとは限らなかった。
【０００８】
ＳＮＳの場合、リアルな世界で知っている相手という非常に狭い範囲に相手が限定されるうえ、そのような限られた相手と、世の中に存在する多様なテーマの中から興味や関心が一致している可能性も限られたものであった。
【０００９】
本発明の目的は、真に興味関心に合った記事やコメントを容易に閲覧できる技術を提供することである。
【課題を解決するための手段】
【００１０】
上記の目的をふまえ、本発明の一態様（１）である情報処理装置は、データとして表された記事を取得する記事取得手段と、取得された一又は二以上の記事に基づいて、テーマと、テーマに包含される記事の抽出条件と、を設定するテーマ設定手段と、設定されている前記テーマの選択をユーザから受け付ける選択手段と、前記記事取得手段により取得された前記記事から、設定されている前記テーマに包含される記事を、そのテーマに応じた前記抽出条件を用いて抽出する記事抽出手段と、前記記事抽出手段により抽出された前記記事に対応するコメントの投稿を前記ユーザから受け付ける投稿受付手段と、投稿された前記コメントを、その記事を包含する前記テーマを選択している前記ユーザへ送信する送信手段と、前記記事ごとに投稿された前記コメントの量に応じて、前記テーマに対応する記事の前記抽出条件を更新する条件更新手段と、を備えたことを特徴とする。
【００１１】
本発明の他の態様（５）である情報処理方法は、上記態様を方法のカテゴリで捉えたもので、データとして表された記事を取得する記事取得処理と、取得された一又は二以上の記事に基づいて、テーマと、テーマに包含される記事の抽出条件と、を設定するテーマ設定処理と、設定されている前記テーマの選択をユーザから受け付ける選択処理と、前記記事取得処理により取得された前記記事から、設定されている前記テーマに包含される記事を、そのテーマに応じた前記抽出条件を用いて抽出する記事抽出処理と、前記記事抽出処理により抽出された前記記事に対応するコメントの投稿を前記ユーザから受け付ける投稿受付処理と、投稿された前記コメントを、その記事を包含する前記テーマを選択している前記ユーザへ送信する送信処理と、前記記事ごとに投稿された前記コメントの量に応じて、前記テーマに対応する記事の前記抽出条件を更新する条件更新処理と、をコンピュータが実行することを特徴とする。
【００１２】
本発明の他の態様（６）は、上記態様をコンピュータプログラムのカテゴリで捉えたもので、情報処理装置のコンピュータを制御することにより、データとして表された記事を取得させ、取得された一又は二以上の記事に基づいて、テーマと、テーマに包含される記事の抽出条件と、を設定させ、設定されている前記テーマの選択をユーザから受け付けさせ、取得された前記記事から、設定されている前記テーマに包含される記事を、そのテーマに応じた前記抽出条件を用いて抽出させ、抽出された前記記事に対応するコメントの投稿を前記ユーザから受け付けさせ、投稿された前記コメントを、その記事を包含する前記テーマを選択している前記ユーザへ送信させ、前記記事ごとに投稿された前記コメントの量に応じて、前記テーマに対応する記事の前記抽出条件を更新させることを特徴とする。
【００１３】
本発明の他の態様（２）は、上記いずれかの態様において、前記テーマ設定手段は前記抽出条件として一又は二以上のキーワードを設定し、前記条件更新手段は、前記テーマに包含される記事に対して投稿された前記コメントの量が予め定められた基準値以下だった前記記事のうち、予め定められた第２の基準値以上の量の記事に含まれている前記キーワードについて、前記抽出条件に含まれている場合にその抽出条件から除外することを特徴とする。
【００１４】
本発明の他の態様（３）は、上記いずれかの態様において、前記テーマ設定手段は前記抽出条件として一又は二以上のキーワードを設定し、前記条件更新手段は、前記テーマに包含される記事に対して投稿された前記コメントの量が予め定められた基準値以上だった前記記事のうち、予め定められた第２の基準値以上の量の記事に含まれている前記キーワードについて、前記抽出条件に含まれていない場合にその抽出条件に加えることを特徴とする。
【００１５】
本発明の他の態様（４）は、上記いずれかの態様において、前記テーマに包含される記事のウェブページに、コメントの表示領域及び投稿欄を備えたコメント交換領域を表示する領域表示手段を備え、前記投稿受付手段は、そのテーマを選択している前記ユーザから前記ウェブページの前記記事に対する前記コメントを前記投稿欄で受け付け、前記送信手段は、前記テーマを選択している前記ユーザからテーマに包含される記事に対して投稿された前記コメントを、対応する前記記事にアクセスするためのリンク情報と共に前記表示領域に表示させることを特徴とする。
【発明の効果】
【００１６】
本発明によれば、真に興味関心に合った記事やコメントを容易に閲覧できる技術を提供できる。
【図面の簡単な説明】
【００１７】
【図１】本発明の実施形態について構成を示す機能ブロック図。
【図２】本発明の実施形態における処理手順を示すフローチャート。
【図３】本発明の実施形態におけるデータ例を示す図。
【図４】本発明の実施形態におけるデータ例を示す図。
【図５】本発明の実施形態におけるデータ例を示す図。
【図６】本発明の実施形態におけるフォローを示す概念図。
【図７】本発明の実施形態におけるデータ例を示す図。
【図８】本発明の実施形態におけるデータ例を示す図。
【図９】本発明の実施形態における画面表示例を示す図。
【図１０】本発明の実施形態におけるテーマと、ウェブページと、ユーザとの関係を示す概念図。
【発明を実施するための形態】
【００１８】
次に、本発明を実施するための形態（「実施形態」と呼ぶ）について図に沿って例示する。なお、背景技術や課題などで既に述べた内容と共通の前提事項は適宜省略する。
【００１９】
〔１．構成〕
本実施形態は、図１の構成図に示す情報処理装置１（「本装置１」とも呼ぶ）に関するもので、本装置１は、ニュースサーバＳ（Ｓ１、Ｓ２など）から提供されるニュースの記事に関するコメントを、ユーザの用いる端末Ｔ（Ｔ１、Ｔ２など）へ提供するサーバ装置である。本装置１、端末Ｔ及びニュースサーバＳは、図示しない通信ネットワーク（例えば、インターネット、携帯電話、ＰＨＳ、公衆無線ＬＡＮなどの移動通信網など）を介して接続される。
【００２０】
本装置１は、コンピュータの構成として少なくとも、ＣＰＵなどの演算制御部６と、主メモリや補助記憶装置等の記憶装置７と、図示しない通信ネットワークとの通信装置８（例えば、無線や有線の各種通信アダプタ、その他の通信回路、通信機器など）と、を有する。
【００２１】
本装置１では、記憶装置７に記憶したコンピュータ・プログラム（情報処理プログラム）を演算制御部６が実行することで、図１に示す各手段などの要素（２０、３２ほか）を実現する。実現される要素のうち情報の記憶手段は、記憶装置７上のファイルなど任意のデータ形式のほか、ネットワーク・コンピューティング（クラウド）によるリモート記憶などでも実現できる。
【００２２】
また、記憶手段は、データの格納領域だけでなく、データの入出力や管理などの機能を含んでもよい。また、本出願に示す記憶手段の単位は説明上の便宜によるもので、適宜、構成を分けたり一体化できる。また、明示する記憶手段以外にも、各手段の処理データや処理結果などの記憶手段を適宜用いる。
【００２３】
なお、図中（例えば図１）の矢印は、データや制御などの流れについて主要な方向を補助的に示すもので、他の流れの否定や方向の限定を意味するものではない。例えばある方向のデータ取得の前後に、データ要求や確認応答（ＡＣＫ）が逆方向に発生し得る。
【００２４】
また、記憶手段以外の各手段は、以下に説明するような情報処理の機能・作用（例えば図１）を実現・実行する処理手段であるが、これらは説明のために整理した機能単位であり、実際のハードウェア要素やソフトウェアモジュールとの一致は問わない。
【００２５】
〔２．作用の概要〕
上記のように構成された本装置１における処理手順のうち本実施形態に特に関わる部分を図２のフローチャートに示す。
【００２６】
〔２−１．テーマの設定とフォローの受付〕
まず、記事取得手段２０は、データとして表された記事を提供源（例えば、ニュースサーバＳ１やＳ２など）から取得し（ステップＳ１１）、記事記憶手段２５に記憶させる（例えば図３）。取得は、取得済データの更新でもよい。
【００２７】
また、テーマ設定手段３２は、取得された一又は二以上の記事に基づいて、テーマと、テーマに包含される記事の抽出条件と（例えば図４）、を設定する（ステップＳ１２）。この設定は、設定済のテーマや抽出条件の追加、変更、削除であってもよい。テーマを自動で設定するには、提供される記事に提供元により予め付与されているキーワードやハッシュタグに従ったり、各記事のタイトルや本文から、ｔｆ−ｉｄｆなどの言語処理技術やクラスタリング技術などにより抽出する特徴語の共通性を用いる。
【００２８】
例えば、ある記事群すべてに登場する特徴語をその記事群のテーマとすることができる。また、抽出される共通の特徴語を抽出条件とすることもできる。テーマに対応する記事のうち所定割合（例えば５割）に登場する語や語の組を抽出条件とすることも考えられる。図４は、テーマごとのテーマＩＤ、タイトル、抽出条件をテーマ・条件記憶手段３５に記憶した例を示す。テーマや抽出条件の設定は、人間による操作を受けてテーマ設定手段３２が行ってもよい。
【００２９】
さらに、選択手段４０は、設定されているテーマの選択（「フォロー」とも呼ぶこととする）をユーザから受け付け（ステップＳ１３）、フォローされたテーマをフォローしたユーザ（「フォロワー」とも呼ぶこととする）と対応付けて選択記憶手段４５（例えば図５）に記憶させる（ステップＳ１４）。選択は、例えば、選択画面でテーマ一覧のうち所望のテーマにチェックし登録ボタンを押したり、画面表示されたテーマ自体をクリックするなどして行う（図示省略）。
【００３０】
なお、選択手段４０は各ユーザから、任意の数のテーマのフォローを受け付け、いつでも所定の操作でフォローの解除を受け付ける。図６の例において、上や斜め上を向いた白抜きの太い矢印は、ユーザによるテーマのフォローと、そのテーマに包含される記事に対するコメントの投稿を表す。逆向きの曲がった矢印は、テーマのフォロワーに対するテーマに包含される記事およびコメントのフィード（送信）を表す。
【００３１】
ここで、図６の矢印の一部では文字を省略している。また、図６に例示するように、各ユーザは、一又は二以上のテーマを同時にいくつでもフォローしている状態にでき、テーマごとのフォロワー数にも制限はない。図６では、各ユーザＵ１からＵ２は、テーマＴＨ１〜ＴＨ３のうち、思い思いの数と組み合わせのテーマをフォローしている。
【００３２】
〔２−２．記事の抽出からコメントの送信まで〕
次に、記事抽出手段５０は、記事取得手段２０により取得された記事から、設定されているテーマに包含される記事を、そのテーマに応じた抽出条件を用いて抽出する（ステップＳ１５）。この時点で、送信手段７４は、テーマに応じて抽出された記事を、そのテーマのフォロワーへ送信することができる（ステップＳ１６）。
【００３３】
テーマと、そのテーマについて記事抽出手段５０が抽出した記事との対応関係は、図７のように独立した対照データで表してもよいが、記事記憶手段２５（図３）に設けるデータ項目に（図示省略）、その記事を包含する一又は二以上のテーマをテーマＩＤなどとして記録してもよい。
【００３４】
記事の送信に際しては、テーマをまだフォローしていないユーザへも記事をテーマごとにテーマを明示して送信したうえ興味を持ったテーマのフォローを受け付け、以降、ユーザがフォローしているテーマの記事やコメントをＲＳＳフィードその他の形式で、そのユーザへ送信してもよい。
【００３５】
そして、投稿受付手段６４は、記事抽出手段５０により抽出され送信手段７４により送信された記事に対するコメントの投稿を、その記事を包含するテーマのフォロワーから受け付け（ステップＳ１７）、コメント記憶手段６５に記憶させる（例えば図８）。送信手段７４は、投稿されたコメントを対応する記事と共に、その記事を包含するテーマのフォロワーへ送信する（ステップＳ１８又はＳ１６）。
【００３６】
具体的には、投稿されたコメントを、表示に追加する形で表示の更新を行うなどにより直ちに送信してもよいし（ステップＳ１８）、次回の記事およびコメントの送信のタイミングにおいて送信してもよい（ステップＳ１６）。記事に対応するコメントの投稿を認めるユーザの範囲は、フォロワーに限ってもよいし限らなくてもよい。
【００３７】
〔２−３．コメント交換領域の表示〕
ここで、コメントの投稿や送信されるコメントの表示・閲覧は、図９の例のように、記事のウェブページＷに表示されるコメント交換領域Ｘを通じて行ってもよい。この場合、領域表示手段９０は、テーマに包含される記事のウェブページＷに、コメントの表示領域Ｄ及び投稿欄Ｅを備えたコメント交換領域Ｘを表示する。
【００３８】
コメント交換領域ＸをウェブページＷに組み込むには、ウェブページＷを提供するウェブサーバ（例えば図１のニュースサーバＳ１やＳ２）において、ウェブページＷのソースコードに、ウェブ広告やブログパーツに準じ、本装置１の提供するコメント交換領域ＸのＵＲＬなどのマークアップ記述を含める。
【００３９】
これにより、端末Ｔの図示しないウェブブラウザが、ウェブページＷのうち記事等の部分は例えばニュースサーバＳから受信し、交換領域Ｘの部分は本装置１から受信して、それらを組み合わせて交換領域Ｘを含むウェブページＷを表示することができる。
【００４０】
この際、あるニュースサイトの全ての記事のウェブページに上記のようなマークアップ記述を含めておき、本装置１の側で、個々のウェブページに含まれる記事を包含するテーマに応じて交換領域Ｘを送信してウェブページＷに表示させることができる。
【００４１】
そして、投稿受付手段６４は、そのテーマを選択しているユーザからウェブページの記事に対するコメントを投稿欄Ｅで受け付け、送信手段７４は、テーマのフォロワーからテーマに包含される記事に対して投稿されたコメントを、対応する記事にアクセスするためのリンク情報（図９中の下線部）と共に表示領域Ｘに表示させる。
【００４２】
図１０の例では、例えば、「原発問題」というテーマＴＨ１に包含される記事のウェブページＷ１、Ｗ２にそれぞれ、内容が相互に共通するコメント交換領域Ｘ１、Ｘ２を表示している。また、他の「高校野球」というテーマＴＨ２に包含される記事のウェブページＷ３、Ｗ４にはそれぞれ、内容が相互に共通するコメント交換領域Ｘ３、Ｘ４を表示している。
【００４３】
ウェブページＷ１の記事に対し、その記事を包含するテーマのフォロワーからコメント交換領域Ｘ１を通じて投稿された新たなコメントは、ウェブページＷ２のコメント交換領域Ｘ２にも表示される。
【００４４】
また、テーマＴＨ１（原発問題）とＴＨ２（高校野球）の双方を同時にフォローしているユーザＵに対し、本装置１が提供する個人用のユーザページＰには、ＲＳＳを用いたデータフィードなどにより、他のニュースの記事などのほか、テーマＴＨ１（原発問題）に関するコメント（図中、黒い吹き出しで示す）と、テーマＴＨ２（高校野球）に関するコメント（図中、輪郭のみの吹き出しで示す）が表示される。
【００４５】
〔２−４．抽出条件更新の例〕
さらに、条件更新手段８２は、記事ごとに投稿されたコメントの量に応じて、テーマに対応する記事の抽出条件を更新する（ステップＳ１９）。具体例として、テーマ設定手段３２が、あるテーマの抽出条件として一又は二以上のキーワードを設定している場合を考える。
【００４６】
例えば、「風評被害」と「計測」の少なくともいずれか一方がタイトルまたは記事本文に含まれていれば、そのテーマに包含される記事として抽出するものとする。この場合、次のような抽出条件の更新が考えられる。
【００４７】
まず、条件更新手段８２は、テーマに包含される記事に対して投稿されたコメントの量が予め定められた基準値以下（例えば、閲覧数に対する平均コメント率の１／４以下）だった記事のうち、予め定められた第２の基準値以上（例えば、半数以上）の量の記事に含まれているキーワード（例えば「計測」）について、抽出条件に含まれている場合にその抽出条件から除外する。
【００４８】
これにより、テーマに包含される記事のうちコメントが少ない記事群について、ある程度共通して抽出の根拠となったキーワードが排除できる。
【００４９】
また、逆に、条件更新手段８２は、テーマに包含される記事に対して投稿されたコメントの量が予め定められた基準値以上（例えば、閲覧数に対する平均コメント率の２倍以上）だった記事のうち、予め定められた第２の基準値以上（例えば、６割以上）の量の記事に含まれているキーワード（例えば「暫定基準」）について、抽出条件に含まれていない場合にその抽出条件に加える。
【００５０】
これにより、テーマに包含される記事のうちコメントが多い記事群について、ある程度共通して含まれるキーワードを抽出条件に追加することができる。なお、上記のように抽出条件について除外又は追加しようとするキーワードと、その除外又は追加によりテーマに包含されるか否かが変化する記事と、をフォロワーに表示して賛否の投票を受けその集計結果に応じて除外又は追加を行えば除外や追加の精度が高まる。
【００５１】
〔３．効果〕
（１）  以上のように本実施形態では、ニュース等の記事から、記事を包含するテーマと、テーマに包含される記事の抽出条件を設定し（例えば図４）、テーマの選択をユーザから受け付ける。そして、テーマに包含される記事へのコメントの投稿をユーザから受け付け（例えば図８）、同じテーマを選択している他のユーザへ記事とともに送信して提供する。そして、記事へのコメント量に応じて記事の抽出条件を更新する。
【００５２】
これにより、関心あるテーマを選択しておけばそのテーマに包含される記事とコメントが閲覧でき、しかも、記事ごとへのコメントの量が、テーマに応じた記事の抽出条件にフィードバックされるので、真に興味関心に合った記事やコメントを容易に閲覧することができる。
【００５３】
（２）  特に、本実施形態では、抽出条件の更新において（ステップＳ１９）、コメントの投稿が少ない記事の多くに含まれるキーワードについて、抽出条件に含まれていれば抽出条件から除外することにより、コメントの投稿が少なくテーマを選択しているユーザの興味関心に合わない可能性が高い記事を排除できる。
【００５４】
（３）  また、本実施形態では、抽出条件の更新において（ステップＳ１９）、コメントが多く投稿された記事の多くに含まれるキーワードについて、抽出条件に含まれていなければ抽出条件に加えることにより、コメントが多く投稿される記事を重点的に抽出できる。
【００５５】
（４）  さらに、本実施形態では（図９）、テーマに包含される記事のウェブページにコメントの交換領域Ｘを表示し、交換領域の投稿欄Ｅでそのウェブページの記事に対するコメントの投稿を受け付け、表示領域Ｄには同じテーマの他の記事に対応するものも含めて記事に対応するコメントを、記事にアクセスするためのリンク情報と共に表示する。
【００５６】
これにより、テーマに包含される記事のウェブページに表示される交換領域を通じ、同じテーマを選択しているユーザ同士で、コメントを容易に交換できるうえ、同じテーマに包含される他の記事も容易に閲覧可能となる。
【００５７】
〔４．他の実施形態〕
なお、上記実施形態は例示に過ぎず、本発明は、以下に例示するものやそれ以外の他の実施態様も含むものである。例えば、記事ごとに投稿されたコメントの量に応じて、テーマに対応する記事の抽出条件を更新することは必須ではなく省略も可能である。この場合でも、関心あるテーマを選択しておけばそのテーマに包含されるすなわち真に興味関心に合った記事とコメントが閲覧できる。
【００５８】
また、各態様は、明記しない他のカテゴリ（方法、プログラム、端末を含むシステムなど）としても把握することができる。方法やプログラムのカテゴリについては、装置のカテゴリで示した「手段」を、「処理」や「ステップ」のように適宜読み替えるものとする。また、処理やステップの順序は、本出願に直接明記のものに限定されず、順序を変更したり、一部の処理をまとめてもしくは随時一部分ずつ実行するなど、変更可能である。
【００５９】
また、個々の手段、処理やステップを実現、実行する端末などのコンピュータは共通でもよいし、手段、処理やステップごとにもしくはタイミングごとに異なってもよい。また、上記「手段」の全部又は任意の一部を「部」（ユニット、セクション、モジュール等）と読み替えることができる。
【００６０】
また、本出願における構成図、データの図、フローチャートなども例示に過ぎず、各要素の有無、その配置や処理実行などの順序、具体的内容などは適宜変更可能である。例えば、本装置１と各ニュースサーバＳ（Ｓ１、Ｓ２）とを一体に構成することもできる。
【００６１】
また、本装置１を構成する個々の手段を実現する態様は自由で、外部のサーバが提供している機能をＡＰＩ（アプリケーション・プログラム・インタフェース）やネットワーク・コンピューティング（いわゆるクラウドなど）で呼び出して実現するなど、本発明の構成は柔軟に変更できる。さらに、本発明に関する手段などの各要素は、コンピュータの演算制御部に限らず物理的な電子回路など他の情報処理機構で実現してもよい。
【符号の説明】
【００６２】
１  情報処理装置
６  演算制御部
７  記憶装置
８  通信装置
２０  記事取得手段
２５  記事記憶手段
３２  テーマ設定手段
３５  テーマ・条件記憶手段
４０  選択手段
４５  選択記憶手段
５０  記事抽出手段
６４  投稿受付手段
６５  コメント記憶手段
７４  送信手段
８２  条件更新手段
９０  領域表示手段
Ｄ  表示領域
Ｅ  投稿欄
Ｐ  ユーザページ
Ｓ（Ｓ１、Ｓ２）  ニュースサーバ
Ｔ（Ｔ１、Ｔ２）  端末
ＴＨ１〜ＴＨ３  テーマ
Ｕ、Ｕ１〜Ｕ４  ユーザ
Ｗ（Ｗ１〜Ｗ４）  ウェブページ
Ｘ（Ｘ１〜Ｘ４）  コメント交換領域
【要約】
【課題】真に興味関心に合った記事やコメントを容易に閲覧できる技術を提供する。
【解決手段】ニュース等の記事から、記事を包含するテーマと、テーマに包含される記事の抽出条件を設定し、テーマの選択をユーザから受け付ける。テーマに包含される記事へのコメントの投稿を、テーマを選択しているユーザから受け付け、同じテーマを選択している他のユーザへ記事とともに送信して提供する。記事へのコメント量に応じて記事の抽出条件を更新する。これにより、関心あるテーマを選択しておけばそのテーマに包含される記事とコメントが閲覧でき、しかも、記事ごとへのコメントの量が、テーマに応じた記事の抽出条件にフィードバックされるので、真に興味関心に合った記事やコメントを容易に閲覧することができる。
【選択図】図１【図１】
0005431552.tif 000002
【図２】
0005431552.tif 000003
【図３】
0005431552.tif 000004
【図４】
0005431552.tif 000005
【図５】
0005431552.tif 000006
【図６】
0005431552.tif 000007
【図７】
0005431552.tif 000008
【図８】
0005431552.tif 000009
【図９】
0005431552.tif 000010
【図１０】
0005431552.tif 000011